(57)【要約】【課題】高周波信号を光ファイバで伝送する伝送装置において、光ファイバー長に伴う光区間の伝送損失を補正し、アンプの出力を制御する。【解決手段】下り回線においては、中継基地局１００にパイロット信号を発生するパイロット信号発生器１５を設け、遠方基地局２００内ではパイロット信号を検出するパイロット信号検出器５５を設け、パイロット信号に応じて利得設定器５３の利得の設定と、アンプ６３ａの出力を制御する。【選択図】図１
2005151035.tif 000002
【特許請求の範囲】
【請求項１】
振幅成分が既知であるパイロット信号を生成するパイロット信号生成手段と、
入力された高周波信号と共に、前記パイロット信号とで光信号を強度変調する光変調手段と、
を備え、
前記光変調手段により得られた光信号を、光ファイバを介して受信装置に送信することを特徴とする送信装置。
【請求項２】
請求項１記載の送信装置において、
入力指示に応じて、制御信号を生成する制御信号生成手段と、
前記制御信号生成手段が生成した制御信号によって前記パイロット信号生成手段が生成したパイロット信号を変調し、前記光変調手段に供給するパイロット信号変調手段と、
を備え、
前記パイロット信号変調手段から出力された信号で、前記光変調手段が光信号を強度変調することを特徴とする送信装置。
【請求項３】
光ファイバを介して送信装置から送信されてくる光信号を復調し、光信号に含まれている高周波信号と、振幅成分が既知であるパイロット信号とを得る光復調手段と、
前記光復調手段で得られた高周波信号及びパイロット信号が入力され設定利得で増幅又は減衰させる利得設定手段と、
前記利得設定手段から出力されたパイロット信号の振幅成分を検出し、その検出値と予め設定された基準値との比較結果に応じて前記利得設定手段の設定利得の制御をする制御手段と、
を備えることを特徴とする受信装置。
【請求項４】
請求項３記載の受信装置において、
前記利得設定手段から出力された高周波信号を増幅する増幅器と、
光ファイバを介して受信したパイロット信号から制御信号を復調し出力するパイロット信号復調手段と、
前記制御信号に応じて前記増幅器の出力を制御する手段と、
を備えることを特徴とする受信装置。
【請求項５】
請求項４記載の受信装置において、
前記制御信号に基づき、前記増幅器の出力のオン／オフを制御することを特徴とする受信装置。
【請求項６】
請求項３記載の受信装置において、
前記利得設定手段から出力された高周波信号を増幅する増幅器と、
光ファイバを介して受信したパイロット信号から制御信号を復調し出力するパイロット信号復調手段と、
前記パイロット信号復調手段から出力された制御信号の制御情報を表示する表示装置を備えることを特徴とする受信装置。
【請求項７】
送信装置と受信装置とを含む送受信装置であって、
送信装置は、
振幅成分が既知であるパイロット信号を生成するパイロット信号生成手段と、
入力指示に応じて、制御信号を生成する制御信号生成手段と、
前記制御信号生成手段が生成した制御信号によって前記パイロット信号生成手段が生成したパイロット信号を変調し、前記光変調手段に供給するパイロット信号変調手段と、
入力された高周波信号と共に、前記パイロット信号変調手段から出力された信号とで光信号を強度変調する光変調手段と、
を備え、
受信装置は、
受信した光信号を復調し、光信号に含まれている高周波信号と、振幅成分が既知であるパイロット信号とを得る光復調手段と、
前記光復調手段で得られた高周波信号及びパイロット信号が入力され設定利得で増幅又は減衰させる利得設定手段と、
前記利得設定手段から出力されたパイロット信号の振幅成分を検出し、その検出値と予め設定された基準値との比較結果に応じて前記利得設定手段の設定利得の制御をする制御手段と、
前記利得設定手段から出力された高周波信号を増幅する増幅器と、
光ファイバを介して受信したパイロット信号から制御信号を復調し出力するパイロット信号復調手段と、
前記パイロット信号復調手段から出力された制御信号の制御情報を表示する表示装置を備えることを特徴とする送受信装置。
【請求項８】
送信装置と受信装置とを含む送受信装置であって、
送信装置は、
振幅成分が既知であるパイロット信号を生成するパイロット信号生成手段と、
入力指示に応じて、制御信号を生成する制御信号生成手段と、
前記制御信号生成手段が生成した制御信号によって前記パイロット信号生成手段が生成したパイロット信号を変調し、前記光変調手段に供給するパイロット信号変調手段と、
入力された高周波信号と共に、前記パイロット信号変調手段から出力された信号とで光信号を強度変調する光変調手段と、
を備え、
受信装置は、
受信した光信号を復調し、光信号に含まれている高周波信号と、振幅成分が既知であるパイロット信号とを得る光復調手段と、
前記光復調手段で得られた高周波信号及びパイロット信号が入力され設定利得で増幅又は減衰させる利得設定手段と、
前記利得設定手段から出力されたパイロット信号の振幅成分を検出し、その検出値と予め設定された基準値との比較結果に応じて前記利得設定手段の設定利得の制御をする制御手段と、
前記利得設定手段から出力された高周波信号を増幅する増幅器と、
光ファイバを介して受信したパイロット信号から制御信号を復調し出力するパイロット信号復調手段と、
前記制御信号に応じて前記増幅器の出力を制御する手段と、
を備え、
前記増幅器から出力された高周波信号の振幅成分を検出する手段と、
前記検出された高周波信号の振幅成分を、前記入力指示として制御信号を生成することを特徴とする送受信装置。
【請求項９】
第一の送信装置と第一の受信装置を含む送受信装置と、第二の送信装置と第二の受信装置とを含む伝送装置であって、
第一の送信装置は、
振幅成分が既知であるパイロット信号を生成するパイロット信号生成手段と、
入力指示に応じて、制御信号を生成する制御信号生成手段と、
前記制御信号生成手段が生成した制御信号によって前記パイロット信号生成手段が生成したパイロット信号を変調し、前記光変調手段に供給するパイロット信号変調手段と、
入力された高周波信号と共に、前記パイロット信号変調手段から出力された信号とで光信号を強度変調する光変調手段と、
を備え、
第一の受信装置は、
受信した光信号を復調し、光信号に含まれている高周波信号と、振幅成分が既知であるパイロット信号とを得る光復調手段と、
前記光復調手段で得られた高周波信号及びパイロット信号が入力され設定利得で増幅又は減衰させる利得設定手段と、
前記利得設定手段から出力されたパイロット信号の振幅成分を検出し、その検出値と予め設定された基準値との比較結果に応じて前記利得設定手段の設定利得の制御をする制御手段と、
前記利得設定手段から出力された高周波信号を増幅する増幅器と、
光ファイバを介して受信したパイロット信号から制御信号を復調し出力するパイロット信号復調手段と、
前記パイロット信号復調手段から出力された制御信号の制御情報を表示する表示装置とを備え、
第二の送信装置は、
振幅成分が既知であるパイロット信号を生成するパイロット信号生成手段と、
入力指示に応じて、制御信号を生成する制御信号生成手段と、
前記制御信号生成手段が生成した制御信号によって前記パイロット信号生成手段が生成したパイロット信号を変調し、前記光変調手段に供給するパイロット信号変調手段と、
入力された高周波信号と共に、前記パイロット信号変調手段から出力された信号とで光信号を強度変調する光変調手段と、
を備え、
第二の受信装置は、
受信した光信号を復調し、光信号に含まれている高周波信号と、振幅成分が既知であるパイロット信号とを得る光復調手段と、
前記光復調手段で得られた高周波信号及びパイロット信号が入力され設定利得で増幅又は減衰させる利得設定手段と、
前記利得設定手段から出力されたパイロット信号の振幅成分を検出し、その検出値と予め設定された基準値との比較結果に応じて前記利得設定手段の設定利得の制御をする制御手段と、
前記利得設定手段から出力された高周波信号を増幅する増幅器と、
光ファイバを介して受信したパイロット信号から制御信号を復調し出力するパイロット信号復調手段と、
前記制御信号に応じて前記増幅器の出力を制御する手段と、
を備え、
前記増幅器から出力された高周波信号の振幅成分を検出する手段と、
前記検出された高周波信号の振幅成分を、前記入力指示として制御信号を生成する手段と、
を備え、
前記第一の送信装置と前記第二の受信装置とを光ファイバで接続し、
前記第二の送信装置と前記第一の受信装置とを光ファイバで接続することを特徴とする伝送装置。
【発明の詳細な説明】
【技術分野】
【０００１】
本発明は、高周波信号（無線信号）で変調した光変調信号を、光ファイバを介して遠方にある遠方基地局に伝送し、再び高周波信号に復調しアンテナを介して空中に輻射するための光ファイバを利用した高周波信号の送信装置、受信装置、送受信装置及び伝送装置に関する。
【背景技術】
【０００２】
近年の携帯電話やＰＨＳ（Ｐｅｒｓｏｎａｌ  Ｈａｎｄｙｐｈｏｎｅ  Ｓｙｓｔｅｍ）といった移動体通信の分野は発展が目覚しく、今後更なる利用の拡大が期待される分野である。
【０００３】
これら移動体通信システムには、例えばセルラー方式がある。このセルラー方式では、サービス・エリアをいくつかのセル（小ゾーン）に分割し、それぞれのセルをカバーする無線基地局を設置し、無線基地局間を有線接続することにより、異なるセルにある無線端末局間での通話を可能にしている。これら移動体通信システムでは、そのサービス・エリア内に、構内、地下街、トンネル内、山岳地帯などの電波の届かないいわゆる電波不感地帯がある。電波不感地帯対策としては、無線基地局からの電波を良好に受信できるエリアに中継基地局を設置し、受信した電波を有線で電波不感地帯にある遠方基地局に伝送し、遠方基地局のアンテナから電波を輻射することが活用されている。これにより、電波不感地帯においても無線端末局が、中継基地局を設置したサービス・エリアにいるのと同等なサービスを享受できる。さらに、中継基地局と遠方基地局を光ファイバで接続することで、低損失で遠方まで効率良く高周波信号（電波）を伝送することができる。
【０００４】
図２は光ファイバを利用した高周波信号の伝送装置の従来例である。図２において中継基地局１１０は、図示を省略した無線基地局とコネクタＴ５及びＴ６を介して有線接続され、光ファイバ３００及び４００により遠方基地局２１０と接続されている。さらに遠方基地局２１０はアンテナ５００により電波不感地帯であったセルに電波を輻射することによりサービス・エリアを拡大する。そして、遠方基地局２１０により、新たに拡大されたサービス・エリアにある無線端末局６００は、アンテナ５００、遠方基地局２１０、光ファイバ３００及び４００、中継基地局１１０を介して、他のセルにある無線端末局と通話が可能となる。
【０００５】
前述したような、従来の光ファイバを利用した高周波信号の伝送装置では、その据付時において、まずサービス・エリア内（例えば無線基地局の近傍）に中継基地局１１０を設置し、遠方基地局２１０を新たにサービス・エリアとなる電波不感地帯に設置する。そして、中継基地局１１０のコネクタＴ１と遠方基地局２１０のコネクタＴ２とを、中継基地局１１０のコネクタＴ４と遠方基地局２１０のＴ３とを、それぞれ光ファイバ３００及び４００で接続する。ここで、Ｅ／Ｏ変換器１３からＴ１までの区間、Ｔ２からＯ／Ｅ変換器５１までの区間、Ｅ／Ｏ変換器７３からＴ３までの区間、Ｔ４からＯ／Ｅ変換器３１までの区間は、それぞれ光ファイバ等の光伝送区間である。
【０００６】
遠方基地局２１０と中継基地局１１０との距離は、その設置形態によって、数十ｍ〜数十ｋｍまで様々あり、その距離に応じて光ファイバ３００及び４００の距離が決まる。そして、設置する光ファイバは長さにより伝送損失が異なり、通常０．３〜０．５ｄＢ／ｋｍ程度の伝送損失を持つ。さらに光区間における伝送損失は、高周波信号における伝送損失の２倍に相当する。例えば、光ファイバ３００及び４００が２ｋｍの長さだとすると、光区間における伝送損失は約１ｄＢとなり、高周波信号においては約２ｄＢの伝送損失となる（特許文献１）。このため、アンテナによって高周波信号を空中に輻射する移動体通信システムにおいては、光ファイバの長さによる伝送損失、すなわち高周波信号の減衰は、アンテナから出力される高周波信号の届く範囲（サービス・エリアの大きさ）の減少に直接係るため、光ファイバ長による伝送損失を補正する必要がある。
【０００７】
光ファイバ長による伝送損失の補正は、実際に伝送路に高周波信号を伝送して、その伝送損失を測定し、出力された高周波信号に基づいて利得設定器３３ｂ及び５３ｂの利得を調節することにより行う。例えば、下り回線（無線基地局から端末局の方向）では、高周波信号発生器を用いてＴ５に高周波信号を入力し、アンプ１１で増幅されたのち、Ｅ／Ｏ変換器１３で光信号に変換（光変調）し、光ファイバ３００を介してＯ／Ｅ変換器５１に伝送したのち再び高周波信号に変換（光復調）し、利得設定器５３ｂ及びアンプ６３ｂで増幅され出力された高周波信号電力を、スペクトラムアナライザで測定する。そしてスペクトラムアナライザの測定値に基づいて、利得設定器５３ｂの利得を手動で設定する。また上り回線（端末局から無線基地局の方向）については、前述したプロセスとは、逆のプロセスで利得設定器３３ｂの利得を設定する。そして利得設定器５３ｂ及び３３ｂの利得の調節が完了し、所要の高周波信号を出力できるようになったら、光ファイバを利用した高周波信号の伝送装置の運用を開始する。
【０００８】
【特許文献１】特開２００２−２３７７８３
【発明の開示】
【発明が解決しようとする課題】
【０００９】
以上説明したように従来の光ファイバを利用した高周波信号の伝送装置は、光ファイバが長さにより伝送損失が異なるため、据付時において、その中継基地局と遠方基地局の設置場所の距離に応じた光ファイバ長の伝送損失を、利得設定器により調節し補正する必要があった。このため、光ファイバを交換したりするような作業、例えば、中継基地局又は遠方基地局を交換したり、設置場所を変えたりした場合において、再度前述した据付作業を行い、利得設定器の利得を再調節する必要があり、現地作業に多大な負担が発生していた。
【００１０】
また、運用開始後においても、アンプから出力される高周波信号電力を所要値以内であるかどうかを絶えず監視し、仮に所要値以上の高周波信号電力の出力を関知した場合に直ぐにアンプの出力をオフできることが望ましい。これは、通常遠方基地局は屋外に設置されることが大半であり、気象条件の変化を受けることになり、ごく稀にアンプが所要値以上の高周波信号電力を出力してしまう等のトラブルが発生することも想定されるためである。仮にアンプにおいて所要値以上の高周波信号電力出力が発生した場合、前述したような機能が備わっていないと、作業者が遠方にある遠方基地局まで行き、アンプの出力を止めなくてはならないが、遠方基地局が数ｋｍ先の山岳地帯等に設置されていることもあり、作業者が遠方基地局に行くまでの間、遠方基地局近傍ではアンプが所要値以上の高周波信号電力を出力することにより周辺地域に電磁障害を与えてしまうこともあり、なんらかの対策が必要である。
【課題を解決するための手段】
【００１１】
本発明は、振幅成分が既知であるパイロット信号を生成するパイロット信号生成手段と、入力された高周波信号と共に、前記パイロット信号とで光信号を強度変調する光変調手段と、を備え、前記光変調手段により得られた光信号を、光ファイバを介して受信装置に送信することを特徴とする。
【００１２】
また、入力指示に応じて、制御信号を生成する制御信号生成手段と、前記制御信号生成手段が生成した制御信号によって前記パイロット信号生成手段が生成したパイロット信号を変調し、前記光変調手段に供給するパイロット信号変調手段と、を備え、前記パイロット信号変調手段から出力された信号で、前記光変調手段が光信号を強度変調することが望ましい。
【００１３】
本発明は、光ファイバを介して送信装置から送信されてくる光信号を復調し、光信号に含まれている高周波信号と、振幅成分が既知であるパイロット信号とを得る光復調手段と、前記光復調手段で得られた高周波信号及びパイロット信号が入力され設定利得で増幅又は減衰させる利得設定手段と、前記利得設定手段から出力されたパイロット信号の振幅成分を検出し、その検出値と予め設定された基準値との比較結果に応じて前記利得設定手段の設定利得の制御をする制御手段と、を備えることを特徴とする。
【００１４】
また、前記利得設定手段から出力された高周波信号を増幅する増幅器と、光ファイバを介して受信したパイロット信号から制御信号を復調し出力するパイロット信号復調手段と、前記制御信号に応じて前記増幅器の出力を制御することが望ましい。
【００１５】
また、前記制御信号に基づき、前記増幅器の出力のオン／オフを制御することが望ましい。
【００１６】
また、前記利得設定手段から出力された高周波信号を増幅する増幅器と、光ファイバを介して受信したパイロット信号から制御信号を復調し出力するパイロット信号復調手段と、前記パイロット信号復調手段から出力された制御信号の制御情報を表示する表示装置を備えることが望ましい。
【００１７】
本発明は、送信装置は、振幅成分が既知であるパイロット信号を生成するパイロット信号生成手段と、入力指示に応じて、制御信号を生成する制御信号生成手段と、前記制御信号生成手段が生成した制御信号によって前記パイロット信号生成手段が生成したパイロット信号を変調し、前記光変調手段に供給するパイロット信号変調手段と、入力された高周波信号と共に、前記パイロット信号変調手段から出力された信号とで光信号を強度変調する光変調手段と、を備え、受信装置は、受信した光信号を復調し、光信号に含まれている高周波信号と、振幅成分が既知であるパイロット信号とを得る光復調手段と、前記光復調手段で得られた高周波信号及びパイロット信号が入力され設定利得で増幅又は減衰させる利得設定手段と、前記利得設定手段から出力されたパイロット信号の振幅成分を検出し、その検出値と予め設定された基準値との比較結果に応じて前記利得設定手段の設定利得の制御をする制御手段と、前記利得設定手段から出力された高周波信号を増幅する増幅器と、光ファイバを介して受信したパイロット信号から制御信号を復調し出力するパイロット信号復調手段と、前記パイロット信号復調手段から出力された制御信号の制御情報を表示する表示装置を備えることを特徴とする。
【００１８】
本発明は、送信装置は、振幅成分が既知であるパイロット信号を生成するパイロット信号生成手段と、入力指示に応じて、制御信号を生成する制御信号生成手段と、前記制御信号生成手段が生成した制御信号によって前記パイロット信号生成手段が生成したパイロット信号を変調し、前記光変調手段に供給するパイロット信号変調手段と、入力された高周波信号と共に、前記パイロット信号変調手段から出力された信号とで光信号を強度変調する光変調手段と、を備え、受信装置は、受信した光信号を復調し、光信号に含まれている高周波信号と、振幅成分が既知であるパイロット信号とを得る光復調手段と、前記光復調手段で得られた高周波信号及びパイロット信号が入力され設定利得で増幅又は減衰させる利得設定手段と、前記利得設定手段から出力されたパイロット信号の振幅成分を検出し、その検出値と予め設定された基準値との比較結果に応じて前記利得設定手段の設定利得の制御をする制御手段と、前記利得設定手段から出力された高周波信号を増幅する増幅器と、光ファイバを介して受信したパイロット信号から制御信号を復調し出力するパイロット信号復調手段と、前記制御信号に応じて前記増幅器の出力を制御する手段と、を備え、前記増幅器から出力された高周波信号の振幅成分を検出する手段と、前記検出された高周波信号の振幅成分を、前記入力指示として制御信号を生成することを特徴とする。
【００１９】
本発明は、第一の送信装置は、振幅成分が既知であるパイロット信号を生成するパイロット信号生成手段と、入力指示に応じて、制御信号を生成する制御信号生成手段と、前記制御信号生成手段が生成した制御信号によって前記パイロット信号生成手段が生成したパイロット信号を変調し、前記光変調手段に供給するパイロット信号変調手段と、入力された高周波信号と共に、前記パイロット信号変調手段から出力された信号とで光信号を強度変調する光変調手段と、を備え、第一の受信装置は、受信した光信号を復調し、光信号に含まれている高周波信号と、振幅成分が既知であるパイロット信号とを得る光復調手段と、前記光復調手段で得られた高周波信号及びパイロット信号が入力され設定利得で増幅又は減衰させる利得設定手段と、前記利得設定手段から出力されたパイロット信号の振幅成分を検出し、その検出値と予め設定された基準値との比較結果に応じて前記利得設定手段の設定利得の制御をする制御手段と、前記利得設定手段から出力された高周波信号を増幅する増幅器と、光ファイバを介して受信したパイロット信号から制御信号を復調し出力するパイロット信号復調手段と、前記パイロット信号復調手段から出力された制御信号の制御情報を表示する表示装置とを備え、第二の送信装置は、振幅成分が既知であるパイロット信号を生成するパイロット信号生成手段と、入力指示に応じて、制御信号を生成する制御信号生成手段と、前記制御信号生成手段が生成した制御信号によって前記パイロット信号生成手段が生成したパイロット信号を変調し、前記光変調手段に供給するパイロット信号変調手段と、入力された高周波信号と共に、前記パイロット信号変調手段から出力された信号とで光信号を強度変調する光変調手段と、を備え、第二の受信装置は、受信した光信号を復調し、光信号に含まれている高周波信号と、振幅成分が既知であるパイロット信号とを得る光復調手段と、前記光復調手段で得られた高周波信号及びパイロット信号が入力され設定利得で増幅又は減衰させる利得設定手段と、前記利得設定手段から出力されたパイロット信号の振幅成分を検出し、その検出値と予め設定された基準値との比較結果に応じて前記利得設定手段の設定利得の制御をする制御手段と、前記利得設定手段から出力された高周波信号を増幅する増幅器と、光ファイバを介して受信したパイロット信号から制御信号を復調し出力するパイロット信号復調手段と、前記制御信号に応じて前記増幅器の出力を制御する手段と、を備え、前記増幅器から出力された高周波信号の振幅成分を検出する手段と、前記検出された高周波信号の振幅成分を、前記入力指示として制御信号を生成する手段と、を備え、前記第一の送信装置と前記第二の受信装置とを光ファイバで接続し、前記第二の送信装置と前記第一の受信装置とを光ファイバで接続することを特徴とする。
【発明の効果】
【００２０】
本発明によれば、高周波信号の他に、パイロット信号を伝送することにより受信装置に備えられた高周波信号を増幅又は減衰させる利得設定器の利得を制御し、受信装置に備えられた高周波信号を増幅する電力増幅器の出力を制御することにより、据え付け時における利得設定器の利得の設定と、運用時における電力増幅器の出力の制御を行うことが可能となる。
【発明を実施するための最良の形態】
【００２１】
以下、本発明を実施するための最良の形態について図面を用いて説明する。図１は、本発明の実施例に係る光ファイバを利用した高周波信号の伝送装置の構成が示されている。
【００２２】
図１に示す光ファイバを利用した高周波信号の伝送装置において、中継基地局１００は、コネクタＴ５及びＴ６を介し図示を省略した無線基地局と有線接続され、光ファイバ３００及び４００を介し、構内、地下街、トンネル内、山岳地帯などの電波不感地帯に設置された遠方基地局２００に接続されている。
【００２３】
本発明の光ファイバを利用した高周波信号の伝送装置を、まず下り回線（無線基地局から無線端末局６００の方向）から説明する。アンプ１１は無線基地局からコネクタＴ５を介して高周波信号が入力される。そしてアンプ１１は入力された高周波信号を増幅し、Ｅ／Ｏ変換器１３に出力する。また、パイロット信号発生器１５は振幅成分が既知であるパイロット信号をパイロット信号変調器１７に出力する。さらに制御信号発生器１９は入力指示に応じて制御信号をパイロット信号変調器１７に出力する。ここで、パイロット信号変調器１７では、入力されたパイロット信号と制御信号とに基づいて変調した信号をＥ／Ｏ変換器１３に出力する。そしてＥ／Ｏ変換器１３では、入力された高周波信号と前記制御信号で変調されたパイロット信号とに基づいて光信号を変調し、光変調信号を出力する。Ｅ／Ｏ変換器１３から出力された光変調信号は、光ファイバ３００を介して、遠方に設置された遠方基地局２００に送信される。
【００２４】
中継基地局１００内のＥ／Ｏ変換器１３から送信された光変調信号は、光ファイバ３００を介して、遠方基地局２００内に備えられたＯ／Ｅ変換器５１で受信される。
【００２５】
Ｏ／Ｅ変換器５１で受信された光変調信号は、高周波信号とパイロット信号とに復調される。そしてＯ／Ｅ変換器５１で復調された高周波信号とパイロット信号は、利得設定器５３に入力され、既定の利得で増幅又は減衰されたのち出力される。
【００２６】
そして、利得設定器５３から出力されたパイロット信号は、パイロット信号検出器５５に入力され、パイロット信号レベル検出器５５ａにおいて、その振幅成分が検出される。さらにパイロット信号は、パイロット信号復調器５５ｂにおいて、その変調成分たる制御信号が検出される。
【００２７】
前述のパイロット信号レベル検出器５５ａにおいて検出されたパイロット信号の振幅成分は、判定器５７に入力され基準値と比較される。パイロット信号の振幅成分は既知の値であるため、判定器５７において基準値と比較することにより、光ファイバ３００における伝送損失を検出することができる。
【００２８】
そして、判定器５７で比較された結果は、制御器５９内にある利得制御器５９ａに入力され、判定器５７の比較結果に基づいて利得設定器５３における利得、すなわち高周波信号及びパイロット信号の増幅又は減衰を制御し、利得設定器５３から出力される高周波信号の振幅レベルを一定値にすることができる。
【００２９】
従って、本発明における光ファイバを用いた高周波信号の伝送装置は、パイロット信号を、遠方にある遠方基地局２００に伝送することにより、利得設定を行っているため、従来に行われていたような手動での利得設定のような装置の再調整をすることがなく一定の利得にすることが可能となり、現地作業時における手間を省くことが可能となり、光ファイバの交換や、設置場所の変更があったとしても、従来のような現地作業時における調整に多大な作業が発生するようなことはない。
【００３０】
ここで、前述した制御信号は制御器５９内にあるアンプ制御器５９ｂに入力される。さらにアンプ制御器５９ｂの出力信号がアンプ６３ａに入力されることにより、制御信号に基づいてアンプ６３ａの出力の制御をすることが可能となる。すなわち、中継基地局１００内に備えられた制御信号発生器１９に作業者がオン／オフの入力指示を与えることにより、遠隔地にある遠方基地局２００内のアンプ６３ａの出力のオン／オフの制御をすることが可能となる。ここで、アンプ６３ａの出力の制御は、出力端にスイッチを設けても良いし、電源のオン／オフでも良い。
【００３１】
また、上り回線（無端端末局６００から無線基地局の方向）においても同様である。すなわち、遠方基地局２００内にあるパイロット信号発生器７７から振幅成分が既知のパイロット信号を発生し、制御信号発生器７９から出力された制御信号で、パイロット信号変調器７５で変調し、アンプ７１の出力信号（高周波信号）とで、Ｅ／Ｏ変換器７３において光信号を変調し出力する。そしてＥ／Ｏ変換器７３から出力された光変調信号は、光ファイバ４００を介して、中継基地局１００内の受信装置３０ａに備えられたＯ／Ｅ変換器３１で受信され、高周波信号とパイロット信号とに復調される。Ｏ／Ｅ変換器３１から出力された高周波信号とパイロット信号とは、利得設定器３３に入力され、既定の利得で増幅又は減衰されたのち出力される。利得設定器３３から出力されたパイロット信号はパイロット信号レベル検出器３５ａで振幅成分が検出され、判定器３７で基準値と比較され、利得制御器３９ａにより、利得設定器３３の利得を制御することにより、上り回線の伝送損失を一定値にすることが可能となる。
【００３２】
さらに、遠方基地局２００内のアンプ６３ａから出力された高周波信号の出力レベルを、中継基地局１００内で監視することにより、より早くアンプの出力レベルに応じた対応が可能となる。まず、アンプ６３ａから出力された高周波信号の出力レベルを、高周波信号レベル検出器６５により検出する。そして検出された高周波信号の出力レベル（入力レベル情報）を、送信装置７０ａに備えられた制御信号発生器７９に入力し、入力レベル情報に基づいた制御信号を発生する。さらにパイロット信号変調器７５において、パイロット信号発生器７７から出力されたパイロット信号を、前述した制御信号発生器７９から出力された制御信号で変調して出力する。制御信号で変調したパイロット信号と、無端端末局６００から送信されアンプ７１で増幅された高周波信号とで、Ｅ／Ｏ変換器７３において光信号を変調し、光変調信号を出力する。
【００３３】
そしてＥ／Ｏ変換器７３から出力された光変調信号は、光ファイバ４００を介して、中継基地局１００内の受信装置３０ａに備えられたＯ／Ｅ変換器３１で受信される。Ｏ／Ｅ変換器３１で受信された光変調信号は、高周波信号とパイロット信号とに復調され出力される。
【００３４】
そしてＯ／Ｅ変換器３１から出力されたパイロット信号がパイロット信号復調器３５ｂに入力され、制御信号が復調される。パイロット信号復調器３５ｂから出力された制御信号、すなわちアンプ６３ａの出力レベル情報はモニタ等の表示装置へ送られ、アンプ６３ａの出力レベルを監視することが可能となる。
【００３５】
従って、アンプ６３ａの出力信号が所要の値を超えるような出力のとき、中継基地局１００内またはその近傍にいる作業者は、表示装置を通じて、遠方基地局２００内のアンプ６３ａの出力を関知することができ、制御信号発生器１９に直ぐにアンプ６３ａをオフする指示を入力することが可能となる。
【００３６】
以上説明したように制御信号でパイロット信号を変調して伝送しているため、遠方にある遠方基地局２００内のアンプ６３ａの出力を制御することが可能となり、さらに遠方基地局２００内のアンプ６３ａの出力を中継基地局１００内にある表示装置から監視することが可能となる。付け加えて伝送損失の補正用の信号と、制御用の信号を一つのパイロット信号で共用しているため回路構成を簡略化することができる。
【００３７】
本発明は一例としてセルラー方式について述べたが、ＭＣＡ（Ｍｕｌｔｉ  Ｃｈａｎｎｎｅｌ  Ａｃｃｅｓｓ）のような大ゾーン方式においても、電波不感地帯対策として適用できることは言うまでも無く本発明の趣旨から離れるものではない。また本発明の実施例では無線基地局と中継基地局との間を有線接続する構成としたが、無線接続でも良いことは言うまでもない。さらに本発明の実施例では中継伝送について述べたが、本発明で開示した伝送装置が基幹網に適用できることは言うまでもない。
【図面の簡単な説明】
【００３８】
【図１】本発明の実施形態に係る光ファイバを利用した高周波信号の伝送装置のブロック図である。
【図２】従来の形態に係る光ファイバを利用した高周波信号の伝送装置のブロック図である。
【符号の説明】
【００３９】
１００  中継基地局、２００  遠方基地局、３００，４００  光ファイバ、５００  アンテナ、６００  無端端末局。
【図１】
2005151035.tif 000003
【図２】
2005151035.tif 000004